(57)【特許請求の範囲】
【請求項１】
沈殿池内に配設された主務スプロケットホイール及び従動スプロケットホイール間に張架された無端チェーンにフライトを取り付け、無端チェーンを循環駆動させることによって池底に沈殿した汚泥を汚泥ピット側に掻き寄せるようにした汚泥掻寄機において、沈殿池の対向する側壁のそれぞれに突設したブラケットに二叉ブラケットを上向きに突設し、この二叉ブラケットのそれぞれに歯飛び防止装置取付用の軸受を固定して配設し、該２つの軸受間に駆動軸に固定される主務スプロケットホイールを配設するとともに、歯飛び防止装置取付用の軸受を、上下方向に２分割構造とし、下側の軸受部を二叉ブラケットに一体に取り付け、該下側の軸受部に上側の軸受部を着脱可能に取り付けることにより駆動軸を抱持するようにしたことを特徴とする汚泥掻寄機。
【発明の詳細な説明】
【技術分野】
【０００１】
本発明は、汚泥掻寄機に関し、特に、摩耗或いは破損した主務スプロケットホイールや歯飛び防止装置の修理を、駆動軸を沈砂池等の土木構造物から取り外すことなく行えるようにした汚泥掻寄機に関するものである。
【背景技術】
【０００２】
従来、下水処理場や浄水場においては、泥土や土砂（以下、「汚泥物質」という。）が混入している流入水を一端沈殿池に導入し、ここで流入水に含まれている前記汚泥物質を沈殿分離させるようにしている。そして、沈殿した汚泥物質を、沈殿池内に設置した汚泥掻寄機にて該沈殿池の一端部に配置した汚泥ピット内に集泥した後、汚泥ポンプ等を用いて池外へ排出するようにしている。
【０００３】
この汚泥掻寄機として、例えば、図３の概略図で示すようなチェーンフライト式汚泥掻寄機が用いられている（特許文献１−２参照。）。
このチェーンフライト式汚泥掻寄機は、駆動軸５に主務スプロケットホイール１を、従動軸に従動スプロケットホイール２をそれぞれ取り付け、主務スプロケットホイール１及び従動スプロケットホイール２を沈殿池Ｐ内に配設し、かつ主務スプロケットホイール１と従動スプロケットホイール２の間に所定間隔で汚泥掻き寄せ用のフライト４を取り付けた無端チェーン３を張架し、駆動軸５を駆動用モータＭにて駆動することで無端チェーン３を沈殿池内で循環駆動する際、フライト４にて沈殿池の内底に沈殿する汚泥を汚泥ピット側に掻き寄せ排出するように構成している。
【０００４】
ところで、この汚泥掻寄機は、劣悪な環境の下で駆動されるため、部品の腐食、摩耗、破損が甚だしい。
特に、金属製の無端チェーン３においては、発錆等による腐食が生じやすいため、近年は合成樹脂製の無端チェーンが採用されることがある。
また、主務スプロケットホイール１も対峙する円盤の周回方向に所定間隔でピンを配設して構成し、このピンを前記無端チェーンを構成する各駒のノッチに引っ掛けるようにして動力を伝達するようにし、摩耗するピンのみの交換で主務スプロケットホイール１の延命を図るようにしている。
【０００５】
しかし、主務スプロケットホイール１を取り付けた駆動軸５は、その両端部を沈殿池の側壁等の土木構造物に対峙して取り付けた軸受１０、１０間に掛け渡すようにして、かつ該軸受１０、１０にて回転可能に支持するように構成している。
このため、無端チェーンの各駒が噛合する主務スプロケットホイール１のピンが摩耗或いは破損した場合、この摩耗或いは破損したピンを新しいものと交換する必要がある。
このピンの交換等の場合、沈殿池の側壁等の土木構造物に取り付けた軸受１０、１０から駆動軸を一旦取り外して摩耗或いは破損したピン等の交換を行っている。
このため、主務スプロケットホイールやこの主務スプロケットホイールに付設した歯飛び防止装置が破損或いは許容以上に摩耗した場合、駆動軸の取り外し作業、再据え付け作業を要して部品の交換、修理に手数を要するものであった。
【発明の概要】
【発明が解決しようとする課題】
【０００６】
本発明は、駆動軸を沈砂池等の土木構造物から取り外すことなく、摩耗或いは破損した主務スプロケットホイールや歯飛び防止装置の修理或いは部品の交換等を迅速に行い、かつメンテナンスを簡易に行えるようにした汚泥掻寄機を提供することを目的とする。
【課題を解決するための手段】
【０００７】
上記目的を達成するため、本発明の汚泥掻寄機は、沈殿池内に配設された主務スプロケットホイール及び従動スプロケットホイール間に張架された無端チェーンにフライトを取り付け、無端チェーンを循環駆動させることによって池底に沈殿した汚泥を汚泥ピット側に掻き寄せるようにした汚泥掻寄機において、沈殿池の対向する側壁のそれぞれに突設したブラケットに二叉ブラケットを上向きに突設し、この二叉ブラケットのそれぞれに歯飛び防止装置取付用の軸受を固定して配設し、該２つの軸受間に駆動軸に固定される主務スプロケットホイールを配設するとともに、歯飛び防止装置取付用の軸受を、上下方向に２分割構造とし、下側の軸受部を二叉ブラケットに一体に取り付け、該下側の軸受部に上側の軸受部を着脱可能に取り付けることにより駆動軸を抱持するようにしたことを特徴とする。
【発明の効果】
【０００８】
本発明の汚泥掻寄機によれば、軸受を分離することで駆動軸を沈砂池等の土木構造物から取り外すことなく、摩耗或いは破損した主務スプロケットホイールや歯飛び防止装置の修理或いは部品の交換等を迅速に行うことができるとともに、メンテナンスも迅速に、簡易に行うことができる。
【０００９】
そして、歯飛び防止装置取付用の軸受を、上下方向に２分割構造とし、下側の軸受部を二叉ブラケットに一体に取り付け、該下側の軸受部に上側の軸受部を着脱可能に取り付けるようにすることにより、駆動軸を抱持した軸受を簡易に上下に２分割することができるので、軸受や主務スプロケットホイール、その他の部材の修理、組み立てが簡易に、正確に行うことができる。
【図面の簡単な説明】
【００１０】
【図１】本発明の汚泥掻寄機の一実施例を示す一部破断した正面図である。
【図２】駆動軸の主務スプロケットホイール取付部を示す外観斜視図である。
【図３】汚泥掻寄機の説明図である。
【発明を実施するための形態】
【００１１】
以下、本発明の汚泥掻寄機の実施の形態を、図面に基づいて説明する。
【００１２】
図１〜図３に、本発明の汚泥掻寄機の一実施例を示す。
【００１３】
下水処理場や浄水場に流入する流入水は、該下水処理場等に設置された沈殿池Ｐ内にまず導入され、ここで固液分離により汚泥物質を沈殿させて分離するが、この沈殿池Ｐ内には汚泥掻寄機Ａが設置されているので、沈殿分離した汚泥物質は該汚泥掻寄機Ａにて汚泥ピットＰａ側へ掻き寄せられて池外へ排出除去される。
【００１４】
この汚泥掻寄機Ａとしては、特に限定されるものではないが、例えば、図３に示すように、沈殿池Ｐ内に配置された主務スプロケットホイール１（駆動スプロケットホイール）と複数の従動スプロケットホイール２間に無端チェーン３を張架し、かつ該無端チェーン３に複数のフライト４を取り付け、該主務スプロケットホイール１を介して無端チェーン３を駆動するように構成することができる。
この場合、これらのスプロケットホイール１、２間に張架される無端チェーン３の一部が池底Ｐｂに沿うように配置し、無端チェーン３が循環駆動される際、無端チェーン３が池底Ｐｂに沿って移動することにより該無端チェーン３に取り付けられたフライト４にて池底Ｐｂに沈殿した汚泥物質を汚泥ピットＰａ側に掻き寄せられるようにする。
【００１５】
また、主務スプロケットホイール１は、駆動軸５にコッター等にて固定的に取り付けるようにしたボス（図示省略）に、２枚の円盤１ａ、１ａを対峙するように配設固定し、かつ該円盤外周部においてその周回方向に沿って所定間隔で複数本のピン１Ｐを植設するようにして一体とし、この２枚の対向する円盤間内に無端チェーン３の一部が挿入するようして該ピン１Ｐと無端チェーン３の各駒に形成したノッチ３ａとが確実に噛合し、動力を伝達できるように構成するものである。
なお、無端チェーン３は、ステンレス等の鋼材を用いることもできるが、汚泥を含む汚水中で使用環境が極めて劣悪な下でも耐用性を図るよう、合成樹脂製とすることができる。
【００１６】
また、主務スプロケットホイール１を固定的に取り付ける駆動軸５には、主務スプロケットホイール１だけでなく図３に示すように、該駆動軸端部に池上等に設置された駆動用モータＭにて駆動される駆動用スプロケットホイール６を取り付け、駆動用モータＭにて駆動力を駆動軸５に伝達し、駆動軸５と共に主務スプロケットホイール１をも回転駆動するようにする。この場合、主務スプロケットホイール１は、１本の駆動軸に対して２つを並列的に対峙して配設し、これにより並行する２条の無端チェーン３をそれぞれ張架できるようにする。
【００１７】
なお、図２に示すものは、駆動軸５の片端側部（左側）のみを示しているが、駆動軸５の左右両端とも同様に主務スプロケットホイールを取り付ける構成とし、これに２条の無端チェーン３を張架できるようになっており、さらにこの駆動軸５の左右いずれかの片端に駆動用スプロケットホイール６を取り付けるものとする。
【００１８】
駆動軸５は、図１〜図２に示すように、沈殿池の側壁Ｗの内側に取り付けた駆動軸支持用の軸受１０にて駆動軸５の端部を回転可能に支持する。
そして、この駆動軸５には固定的に主務スプロケットホイール１を取り付けるが、この主務スプロケットホイール取付位置にさらに軸受１１を配設する。
【００１９】
この軸受１１は、歯飛び防止装置Ｂを駆動軸５に取り付けるためのもので、これは沈殿池の側壁Ｗの内側に突設したブラケット７に二叉ブラケット８を介して取り付ける。
このブラケット７は、図２に示すように、主務スプロケットホイール１の取付位置の下方で駆動軸５と平行するように沈殿池の側壁Ｗの内側に突設する。
そして、このブラケット７の先端部の上面に二叉ブラケット８を上向きに突設固定し、この二叉ブラケット８の上部に２つの軸受１１、１１を配設する。
したがって、駆動軸５はその両端の駆動軸支持用の軸受１０と、歯飛び防止装置支持用の軸受１１にて回転可能に支持される。
【００２０】
また、二叉ブラケット８の上部は、図２に示すように、主務スプロケットホイール１の両面と対向するように配設し、これに前記歯飛び防止装置取付用の軸受１１、１１を取り付ける。
この軸受１１は、二叉ブラケット８の上部に固定されるが、図１に示すように、上下に２分割され、下側の軸受部１１ａは二叉ブラケット８の上部に溶接等により一体に固定して取り付けるようにされ、上側の軸受部１１ｂは下側の軸受部１１ａにボルト・ナット１２にて着脱可能に取り付けるようにされている。
この場合、上下２つの軸受部１１ａ、１１ｂ間にて駆動軸５を抱持するようにして固定される。
なお、軸受１１が駆動軸５の軸方向に移動しないように、駆動軸５に嵌合した割り状のブッシュ９を、駆動軸５と軸受１１間に配設するようにする。
これにより、ボルト・ナット１２を弛めることで上側の軸受部１１ｂを下側の軸受部１１ａから取り外すことができ、これにより、ブッシュ９及び主務スプロケットホイール１を容易に取り外せて補修や交換、点検等が行いやすいものとなる。
【００２１】
この歯飛び防止装置Ｂは、主務スプロケットホイールの外周面にその周回方向に沿って配設する歯飛び防止プレートＢｐと、該歯飛び防止プレートＢｐを前記軸受１１に固定するブラケットＢｂとより構成しているが、この歯飛び防止プレートＢｐは、主務スプロケットホイール１の外周部のチェーン巻き掛け角度領域となるように配設するものとする。
これにより、無端チェーン３に所定以上の負荷が掛かって無端チェーン３が主務スプロケットホイールより飛び上がり主務スプロケットホイールから外れる、所謂歯飛びを防止するようにして安定した駆動が行われるようにしている。
【００２２】
上述のように構成することにより、主務スプロケットホイール１或いは歯飛び防止装置Ｂが摩耗或いは破損した場合でも、駆動軸５を駆動軸支持用の軸受１０より、すなわち、沈砂池等の土木構造物から駆動軸５を取り外すことなく、ボルト・ナット１２を弛めることで上側の軸受部１１ｂを下側の軸受部１１ａから取り外すことができ、ブッシュ９や主務スプロケットホイール１が露出するものとなり、さらに必要に応じて下側の軸受部１１ａを二叉ブラケット８と共に取り外すことで、ブッシュ９を駆動軸５から取り外したり、主務スプロケットホイール１を駆動軸５に沿って作業しやすい位置まで移動させて部品の交換等の作業を行えるので、オンサイトで軸受１１、ブッシュ９及び主務スプロケットホイール１の修理、交換等が容易に、迅速に行うことができる。
【００２３】
以上、本発明の汚泥掻寄機について、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の汚泥掻寄機は、駆動軸を沈砂池等の土木構造物から取り外すことなく、摩耗或いは破損した主務スプロケットホイールや歯飛び防止装置の部品交換や修理を迅速に行い、かつメンテナンスを簡易に行えるという特性を有していることから、劣悪な環境下で使用される汚泥掻寄機の用途に好適に用いることができる。
【符号の説明】
【００２５】
Ａ    汚泥掻寄機
Ｂ    歯飛び防止装置
Ｐ    沈殿池
Ｐａ  汚泥ピット
Ｐｂ  池底
Ｍ    駆動用モータ
１    主務スプロケットホイール
１Ｐ  ピン
１ａ  円盤
２    従動スプロケットホイール
３    無端チェーン
４    フライト
５    駆動軸
６    駆動用スプロケットホイール
７    ブラケット
８    二叉ブラケット
９    ブッシュ
１０  駆動軸支持用の軸受
１１  軸受
１１ａ  下側の軸受部
１１ｂ  上側の軸受部
【図１】
0005734729.tif 000002
【図２】
0005734729.tif 000003
【図３】
0005734729.tif 000004